(57)【要約】      （修正有）【課題】商品の購入と兌換のプラットフォーム装置を提供する。【解決手段】商品の購入と兌換のプラットフォーム装置は、第１端末装置２１、第２端末装置２２、及び第３端末装置２３を包含し、該第１端末装置はサーバー装置１０に接続され並びに購入情報と第２使用者情報Ｓ２を該サーバー装置に伝送し、該第２端末装置はその後、該サーバー装置が伝送する商品兌換券Ｓ５を受け取る。第３端末装置２３は該商品兌換券を受け取り並びに該サーバー装置に接続して該商品兌換券が使用できるか否かを確認する。第１使用者Ａは該サーバー装置に接続し商品の購入手続を行ない並びに第２使用者Ｄへのギフトを指定し、該第２使用者は該商品兌換券を取得すると店舗Ｅで商品に兌換する。該店舗は該サーバー装置に接続し並びに該商品兌換券が使用可能であることを確認すれば該商品を該第２使用者に交付する。【選択図】図１
0003179590.tif 000002
【実用新案登録請求の範囲】
【請求項１】
商品の購入と兌換のプラットフォーム装置において、
第１端末装置であって、第１使用者により操作され、サーバー装置に接続され、並びに購入情報と第２使用者情報を該サーバー装置に伝送する、上記第１端末装置と、
第２端末装置であって、第２使用者により操作され、該サーバー装置が伝送した商品兌換券を受け取る、上記第２端末装置と、
第３端末装置であって、店舗に操作され、該サーバー装置に接続されて該商品兌換券が有効であるか否かを確認する、上記第３端末装置と、
を包含することを特徴とする、商品の購入と兌換のプラットフォーム装置。
【請求項２】
請求項１記載の商品の購入と兌換のプラットフォーム装置において、該サーバー装置はサービスプロバイダにより提供され、該サービスプロバイダは該サーバー装置において商品サービスプラットフォームを構築することを特徴とする、商品の購入と兌換のプラットフォーム装置。
【請求項３】
請求項１記載の商品の購入と兌換のプラットフォーム装置において、該購入情報は少なくとも一つの商品名称と少なくとも一つの商品数量を包含することを特徴とする、商品の購入と兌換のプラットフォーム装置。
【請求項４】
請求項１記載の商品の購入と兌換のプラットフォーム装置において、該第２使用者情報は電子メールアドレス或いは携帯電話番号を包含し、該第２端末装置は該商品兌換券を包含する電子メール或いは携帯電話ショートメッセージを受信することを特徴とする、商品の購入と兌換のプラットフォーム装置。
【請求項５】
請求項１記載の商品の購入と兌換のプラットフォーム装置において、該商品兌換券は少なくとも一つのバーコード、少なくとも一つの二次元バーコード或いは少なくとも一つのシリアルナンバーを包含することを特徴とする、商品の購入と兌換のプラットフォーム装置。
【請求項６】
請求項１記載の商品の購入と兌換のプラットフォーム装置において、該商品兌換券は該第２端末装置より該第３端末装置に伝送されることを特徴とする、商品の購入と兌換のプラットフォーム装置。
【請求項７】
請求項１記載の商品の購入と兌換のプラットフォーム装置において、該商品兌換券は入力装置により該第３端末装置に入力されることを特徴とする、商品の購入と兌換のプラットフォーム装置。
【請求項８】
請求項７記載の商品の購入と兌換のプラットフォーム装置において、該入力装置はバーコードスキャナとされることを特徴とする、商品の購入と兌換のプラットフォーム装置。
【請求項９】
請求項７記載の商品の購入と兌換のプラットフォーム装置において、該入力装置はキーボードとされることを特徴とする、商品の購入と兌換のプラットフォーム装置。
【請求項１０】
請求項１記載の商品の購入と兌換のプラットフォーム装置において、該第３端末装置は該商品兌換券を該サーバー装置に伝送し、並びに該サーバー装置が折り返し伝送する商品兌換券検証結果及び該購入情報を受け取ることを特徴とする、商品の購入と兌換のプラットフォーム装置。
【請求項１１】
請求項１記載の商品の購入と兌換のプラットフォーム装置において、該商品兌換券は該店舗により解析されて商品兌換券チェックコード及び該購入情報を発生し、該第３端末装置は該商品兌換券チェックコードを該サーバー装置に伝送し並びに該サーバー装置が折り返し伝送する商品兌換券検証結果を受け取ることを特徴とする、商品の購入と兌換のプラットフォーム装置。
【請求項１２】
請求項１記載の商品の購入と兌換のプラットフォーム装置において、該商品兌換券は少なくとも一つの商品に兌換されることを特徴とする、商品の購入と兌換のプラットフォーム装置。
【請求項１３】
請求項１記載の商品の購入と兌換のプラットフォーム装置において、該第３端末装置は兌換済み情報を該サーバー装置に伝送することを特徴とする、商品の購入と兌換のプラットフォーム装置。
【請求項１４】
請求項１記載の商品の購入と兌換のプラットフォーム装置において、該サーバー装置は第１礼金兌換券を該第２端末装置に伝送することを特徴とする、商品の購入と兌換のプラットフォーム装置。
【請求項１５】
請求項１４記載の商品の購入と兌換のプラットフォーム装置において、該第１礼金兌換券は少なくとも一つのバーコード、少なくとも一つの二次元コード、或いは少なくとも一つのシリアルナンバーを包含することを特徴とする、商品の購入と兌換のプラットフォーム装置。
【請求項１６】
請求項１４記載の商品の購入と兌換のプラットフォーム装置において、該第２使用者は該第２端末装置或いは第４端末装置で該サーバー装置に接続し並びに該第１礼金兌換券を該サーバー装置に伝送し、且つ該サーバー装置が折り返し伝送する第１礼金兌換券検証結果及び第１礼金情報を受け取ることを特徴とする、商品の購入と兌換のプラットフォーム装置。
【請求項１７】
請求項１６記載の商品の購入と兌換のプラットフォーム装置において、該第１礼金情報は第１礼金金額を包含することを特徴とする、商品の購入と兌換のプラットフォーム装置。
【請求項１８】
請求項１６記載の商品の購入と兌換のプラットフォーム装置において、該第１礼金情報は第１礼金使用期限を包含することを特徴とする、商品の購入と兌換のプラットフォーム装置。
【請求項１９】
請求項１記載の商品の購入と兌換のプラットフォーム装置において、該サーバー装置は第２礼金兌換券を該第３端末装置に伝送し、且つ該店舗は該第２礼金兌換券を該第２使用者に交付することを特徴とする、商品の購入と兌換のプラットフォーム装置。
【請求項２０】
請求項１９記載の商品の購入と兌換のプラットフォーム装置において、該第２礼金兌換券は少なくとも一つのバーコード、少なくとも一つの二次元コード、或いは少なくとも一つのシリアルナンバーを包含することを特徴とする、商品の購入と兌換のプラットフォーム装置。
【請求項２１】
請求項１９記載の商品の購入と兌換のプラットフォーム装置において、該店舗は該第２礼金兌換券を該第３端末装置を介して該第２端末装置に伝送することを特徴とする、商品の購入と兌換のプラットフォーム装置。
【請求項２２】
請求項１９記載の商品の購入と兌換のプラットフォーム装置において、該店舗は該第２礼金兌換券をプリントアウトし並びに該第２使用者に交付することを特徴とする、商品の購入と兌換のプラットフォーム装置。
【請求項２３】
請求項１９記載の商品の購入と兌換のプラットフォーム装置において、該第２使用者は該第２端末装置或いは第４端末装置で該サーバー装置に接続し並びに該第２礼金兌換券を該サーバー装置に伝送し、且つ該サーバー装置が折り返し伝送する第２礼金兌換券検証結果及び第２礼金情報を受け取ることを特徴とする、商品の購入と兌換のプラットフォーム装置。
【請求項２４】
請求項２３記載の商品の購入と兌換のプラットフォーム装置において、該第２礼金兌換券は第２礼金金額を包含することを特徴とする、商品の購入と兌換のプラットフォーム装置。
【請求項２５】
請求項２３記載の商品の購入と兌換のプラットフォーム装置において、該第２礼金兌換券は第２礼金使用期限を包含することを特徴とする、商品の購入と兌換のプラットフォーム装置。
【請求項２６】
請求項１記載の商品の購入と兌換のプラットフォーム装置において、第５端末装置をさらに包含し、該第５端末装置は第３者の機構により操作され、該サーバー装置と接続され並びに支払い情報を受け取ることを特徴とする、商品の購入と兌換のプラットフォーム装置。
【請求項２７】
請求項２６記載の商品の購入と兌換のプラットフォーム装置において、該第５端末装置は該第３者の機構が支払い済みであると確認した後に、支払い済み情報を該サーバー装置に伝送することを特徴とする、商品の購入と兌換のプラットフォーム装置。
【請求項２８】
請求項２６記載の商品の購入と兌換のプラットフォーム装置において、該支払い情報は支払い方式を包含し、該支払い方式は、該第１使用者が該第３者の機構にカウンターで支払うか、ＡＴＭで支払うか、カウンターでカードで支払うか、オンラインでカードで支払うか、カウンターで分割払いするか、オンラインで分割払いするかを明記することを特徴とする、商品の購入と兌換のプラットフォーム装置。
【請求項２９】
請求項１記載の商品の購入と兌換のプラットフォーム装置において、該第２端末装置と該第１端末装置は同一端末装置とされることを特徴とする、商品の購入と兌換のプラットフォーム装置。
【請求項３０】
請求項１記載の商品の購入と兌換のプラットフォーム装置において、該第２使用者は該第１使用者と同一使用者とされることを特徴とする、商品の購入と兌換のプラットフォーム装置。
【考案の詳細な説明】
【技術分野】
【０００１】
本考案は一種の商品の購入と兌換のプラットフォーム装置に係り、特に、オンラインで商品を購入し及び商品兌換券を実店舗に持ち込んで商品と兌換するプラットフォーム装置に関する。
【背景技術】
【０００２】
古くより、ギフトは人類社会中でよく見られる文化行為であり、他人にギフトをすることで、自身の他人に対する謝意、謝罪、お祝い、慰問、或いは懐かしさを表し、並びにこれにより双方の関係を維持する。ギフトはこうして一種の重要な人間関係の媒体となっている。現在、グローバル化時代が到来し、個人の交遊ネットワークも世界に広がっているが、ギフトを遠方の友人に送りたい時は、往々にして距離が難しさを感じさせ、且つギフトを送る時は、ギフト自身が長距離の運送に耐えて届けられた時に破損して送り人と受取人の双方の気持ちを害することがないかどうかを考慮する必要がある。
【考案の概要】
【考案が解決しようとする課題】
【０００３】
これを鑑み、本考案者は、一種の商品の購入と兌換のプラットフォーム装置の設計に着手し、送り人が該商品の購入と兌換のプラットフォーム装置を通して購入した商品を、受取人がその付近の商品で兌換できるようにし、これにより、受取人が保存状態が良好なギフトを、近くで受け取れるようにするのみならず、送り人がギフトを送るコストを、商店自身の入荷のコストに結合させることで、別に送料を支払う必要をなくし、且つ、現行の、コンビニエンスストアを介して送付する方式と比較すると、商品のストックコストもまた商品のもともとのストックコストに結合でき、余分にストックコストを支払う必要がなくなり、ゆえに、一種の比較的経済的な商品の購入と兌換のプラットフォーム装置である。
【０００４】
これにより、本考案は一種の商品の購入と兌換のプラットフォーム装置を提供し、それは、第１端末装置、第２端末装置、及び第３端末装置を包含し、該第１端末装置はサーバー装置に接続され並びに購入情報と第２使用者情報を該サーバー装置に伝送し、該第２端末装置はその後、該サーバー装置が伝送する商品兌換券を受け取る。第３端末装置は該商品兌換券を受け取り並びに該サーバー装置に接続して該商品兌換券が使用できるか否かを確認する。第１使用者は該サーバー装置に接続し商品の購入を行ない並びに第２使用者へのギフトを指定し、該第２使用者は該商品兌換券を取得するとショップで商品に兌換する。該ショップは該第３端末装置を介して該サーバー装置に接続した後、該商品兌換券或いは該商品兌換券を解析して得られたチェックコードを該サーバー装置に送り、該サーバー装置が応答する商品兌換券検証結果を獲得することで、該ショップは該商品兌換券の有効性を知り、有効であれば、該商品兌換券を該商品に兌換して該第２使用者に提供し、こうして商品のオンラインショッピングと実体兌換を完成する。
【０００５】
本考案の目的は、一種の商品の購入と兌換のプラットフォーム装置を提供することにあり、それによると、第１使用者がオンラインでサーバー装置に接続し、オンラインで少なくとも一つの商品を購入し、並びに第２使用者へのギフト指定ができる。
【０００６】
本考案の目的は、一種の商品の購入と兌換のプラットフォーム装置を提供することにあり、それによると、第２使用者が該サーバー装置の送る商品兌換券を受け取り並びに該商品兌換券を店舗で該商品に兌換できる。
【０００７】
本考案の目的は、一種の商品の購入と兌換のプラットフォーム装置を提供することにあり、それによると、該店舗は該サーバー装置に接続され並びに該商品兌換券が有効であるか否かを確認できる。
【０００８】
本考案の目的は、一種の商品の購入と兌換のプラットフォーム装置を提供することにあり、それによると、該第２使用者は該サーバー装置の提供する第１礼金兌換券或いは第２礼金兌換券を受け取り、礼金に兌換でき、これにより、該第２使用者に対して該サーバー装置が提供する商品の購入と兌換のサービスの利用を促進する。
【０００９】
本考案の目的は、一種の商品の購入と兌換のプラットフォーム装置を提供することにあり、それによると、第３者の機構が支払いを受けた後に支払い済み情報を該サーバー装置に送り、該サーバー装置が該支払いがなされたことを知り並びに該商品兌換券を該第２使用者に伝送する。
【００１０】
本考案の目的は、一種の商品の購入と兌換のプラットフォーム装置を提供することにあり、それによると、該店舗は支払い済み情報を該サーバー装置に伝送し、該サーバー装置に該商品の兌換状況を記録させ、横溢の商品兌換券が重複して兌換されるのを防止する。
【課題を解決するための手段】
【００１１】
上述の目的を達成するため、本考案は一種の商品の購入と兌換のプラットフォーム装置を提供し、それは、第１端末装置、第２端末装置、及び第３端末装置を包含する。該第１端末装置は、第１使用者により操作され、サーバー装置に接続され、並びに購入情報と第２使用者情報を該サーバー装置に伝送する。該第２端末装置は、第２使用者により操作され、該サーバー装置の伝送する商品兌換券を受け取る。該第３端末装置は、店舗により操作され、該サーバー装置に接続されて、該商品兌換券が有効であるかを確認する。
【００１２】
これらの構成要件の設置により、該第１使用者はサービスプロバイダが提供する該サーバー装置に接続し、該サーバー装置上に架設された商品サービスプラットフォームを利用して、少なくとも一つの商品を購入でき、並びに該購入情報及び該第２使用者情報を該サーバー装置に伝送する。
【００１３】
そのうち、該購入情報は、少なくとも一つの商品名称及び少なくとも一つの商品数量を包含し、且つ該第２使用者情報は、電子メールアドレス或いは携帯電話番号を包含する。
【００１４】
該サーバー装置は該第１使用者の支払いを確認した後、電子メール或いは携帯電話ショートメッセージで該商品兌換券を該第２端末装置に伝送し、該第２使用者に該商品兌換券を取得させる。そのうち、該商品兌換券は、少なくとも一つのバーコード、少なくとも一つの二次元バーコード、或いは少なくとも一つのシリアルナンバーを包含する。
【００１５】
該第２使用者は該商品兌換券を該サービスプロバイダと合作する該店舗に持ち寄り、該店舗はスキャナ或いはキーボード等の入力装置で該商品兌換券を取得するか、或いは直接該第３端末装置で該商品兌換券を受け取った後、該第３端末装置を介して該サーバー装置に接続して該商品兌換券が有効であるかを確認する。
【００１６】
このとき、二つのメカニズムを使用でき、その一つは第３端末装置が直接該商品兌換券を該サーバー装置に伝送し、該サーバー装置が該商品兌換券を解析並びに検証した後に、商品兌換券検証結果及び該購入情報を折り返して伝送し、もう一つは、該商品兌換券を解析して商品兌換券チェックコードと該購入情報を発生した後に、該第３端末装置が該商品兌換券チェックコードを該サーバー装置に伝送し、該サーバー装置が該商品兌換券チェックコードを検証した後に、該商品兌換券検証結果を折り返し伝送する。
【００１７】
この二種類のメカニズムは、いずれも該店舗に、該商品兌換券が有効であるかどうか及び兌換可能な少なくとも一つの商品名称と少なくとも一つの商品数量を知らせ、また、該店舗は、該商品を該第２使用者に交付した後、該第３端末装置を通して兌換済み情報を該サーバー装置に伝送し、該商品兌換券が重複して兌換されるのを防止する。
【００１８】
このほか、該サーバー装置は第１礼金兌換券を該第２端末装置に伝送するか、或いは第２礼金兌換券を該第３端末装置に伝送し、該第２使用者は該第２端末装置を通して、或いは該店舗より、該第１礼金兌換券或いは該第２礼金兌換券を受け取る。該第１礼金兌換券或いは該第２礼金兌換券は、少なくとも一つのバーコード、少なくとも一つの二次元バーコード或いは少なくとも一つのシリアルナンバーとされ得る。
【００１９】
該第２使用者は、該第２端末装置或いは第４端末装置を介して該サーバー装置に接続し、該第１礼金兌換券或いは該第２礼金兌換券を該サーバー装置に伝送して検証を実行し、該サーバー装置は、第１礼金兌換券検証結果と第１礼金情報或いは第２礼金兌換券検証結果と第２礼金情報を折り返して伝送する。
【００２０】
該第１礼金情報或いは該第２礼金情報は、第１礼金金額と第１礼金使用期限或いは第２礼金金額と第２礼金使用期限を包含する。該サービスプロバイダは該第２使用者に、該サービスプロバイダにおいて構築した商品サービスプラットフォームが使用する仮想礼金を与え、こうして該第２使用者に対して、該商品サービスプラットフォームを利用して商品を購入して他人に送るように促進する。
【００２１】
また、本考案の商品の購入と兌換のプラットフォーム装置は、第５端末装置を包含し得る。該第５端末装置は、第３者の機構の操作を受け、該サーバー装置と接続され並びに支払い情報を受け取り、且つ該第３者の機構が該商品の支払い済みを確認した後、支払い済み情報を該サーバー装置に伝送する。
【００２２】
該第３者の機構は該サービスプロバイダと合作し、該サーバー装置は該第１使用者が伝送する該購入情報を受け取った後、支払い情報を該第３者の機構が具備する該第５端末装置に伝送する。
【００２３】
該第３者の機構は該支払い情報に符合する支払いを取得した後、支払い済み情報を該サーバー装置に伝送し、該サーバー装置は商品兌換券を該第２端末装置に伝送し並びに該第２使用者に該サービスプロバイダと合作している店舗で該商品兌換券を該商品に兌換できることを通知する。
【００２４】
そのうち、該支払い情報は、支払い方式を包含し、該支払い方式は、該第１使用者が第３者の機構にカウンター支払い、ＡＴＭ支払い、カウンターでカードで支払い、オンラインでカード支払い、カウンターで分割払い或いはオンラインで分割払いで支払うかを明記する。
【００２５】
また、本考案の商品の購入と兌換のプラットフォーム装置を利用する時、該第１使用者は直接該サーバー装置の該商品サービスプラットフォームホームページに接続し、また、ソーシャルネットワークサイトを介して該サーバー装置にアクセスし、該サービスプロバイダは該ソーシャルネットワーク業者と合作の方式で、双方のアカウントナンバーＩＤ認証とアプリケーションサービスを連結し、消費者がさらに容易に該商品サービスプラットフォームの宣伝情報にコンタクトできるようにし、消費者に向けてその商品の購入と兌換のサービスを推奨するのに有利であり、該第１使用者はまた該商品サービスプラットフォームを通して商品を購入並びに自己兌換でき、このとき、該第１端末装置と該第２端末装置は同一装置とされ得る。
【考案の効果】
【００２６】
総合すると、本考案は一種の商品の購入と兌換のプラットフォーム装置であり、サービスプロバイダが提供するサーバー装置により、第１使用者が商品サービスプラットフォームにおいてオンラインで第２使用者に贈りたい少なくとも一つの商品を購入し、該サービスプロバイダは第３者の機構と合作し、該第３者の機構は該商品の支払いを受け取り、並びに該サービスプロバイダに該支払いが済んだことを通知し、該サービスプロバイダは商品兌換券を該第２使用者に伝送し、該第２使用者は該商品兌換券を該第２使用者に伝送し、該第２使用者は該商品兌換券を、該サービスプロバイダと合作している店舗にて該商品と兌換する。
【００２７】
このほか、該サービスプロバイダはまたソーシャルネットワーク業者と合作し、該ソーシャルネットワーク業者が経営するソーシャルネットワークサイトと該商品サービスプラットフォームに、アカウントＩＤとアプリケーションサービスを連結させこうして商品の購入と兌換のサービスを推進する。
【００２８】
また、該サーバー装置はまた第１礼金兌換券或いは第２礼金兌換券を提供でき、該第２使用者は該第１礼金兌換券或いは該第２礼金兌換券を該商品サービスプラットフォームで使用できる礼金に兌換でき、該サービスプロバイダはすなわち、これにより、該第２使用者に対して該商品サービスプラットフォームの使用を推進する。
【００２９】
本考案の提供する商品の購入と兌換のプラットフォーム装置により、使用者が購入した商品を、別の使用者が近所の商店で兌換でき、該別の使用者が保存状態が比較的良好な商品を取得でき、さらに商品の輸送とストックのコストを商店自身の入荷とストックのコストと結合させることができ、さらに経済的である。
【図面の簡単な説明】
【００３０】
【図１】本考案の第１実施例の構成要件関係表示図である。
【図２Ａ】本考案の第１実施例の商品購入と支払いのフローチャートである。
【図２Ｂ】本考案の第１実施例の商品兌換フローチャートである。
【図２Ｃ】本考案の第１実施例の礼金兌換フローチャートである。
【考案を実施するための形態】
【００３１】
本考案の技術内容、構造特徴、達成する目的を詳細に説明するため、以下に実施例を挙げ並びに図面を組み合わせて説明する。
【００３２】
本考案の商品の購入と兌換のプラットフォーム装置の特色は以下のとおりである。サービスプロバイダがサーバー装置を提供し、第１使用者を、第１端末装置を通して該サーバー装置に接続させ、オンラインで少なくとも一つの商品を購入させると共に第２使用者へのギフトとして指定させる。
【００３３】
該第２使用者は第２端末装置で該サーバー装置の伝送する商品兌換券を受け取った後、店舗に出向いて該商品兌換券を該商品に兌換する。
【００３４】
該店舗は第３端末装置により該サーバー装置に接続して該商品兌換券が有効であるかを確認する。
【００３５】
該店舗は該商品を該第２使用者に交付した後に、兌換済み情報を該サーバー装置に伝送し、同一の商品兌換券が重複して兌換されるのを防止する。
【００３６】
また、該サーバー装置はまた仮想礼金に兌換される第１礼金兌換券或いは第２礼金兌換券を該第２使用者に提供でき、該第２使用者が該サーバー装置の商品サービスプラットフォームを利用して商品を選択及び兌換するのを奨励する。また、第３者の機構が第５端末装置を介して該サーバー装置に支払い情報を伝送し、並びに支払いを受け取った後に折り返し支払い済み情報を該サーバー装置に伝送し、該サーバー装置はこれにより該商品兌換券を該第２端末装置に伝送する。
【００３７】
図１を参照されたい。図１は本考案の第１実施例の構成要件関係表示図である。図示されるように、本考案は一種の商品の購入と兌換のプラットフォーム装置であり、それは、サーバー装置１０、第１端末装置２１、第２端末装置２２、第３端末装置２３、第４端末装置２４、及び第５端末装置２５を包含する。サービスプロバイダＢが該サーバー装置１０を提供し、並びに該サーバー装置１０に商品サービスプラットフォーム１００が架設される。
【００３８】
第１使用者Ａは第１端末装置２１を介して該サーバー装置１０に接続し、該商品サービスプラットフォーム１００において商品Ｐを選択し並びに購入情報Ｓ１と第２使用者情報Ｓ２を該サーバー装置１０に伝送する。該購入情報内には該商品Ｐの商品名と商品数量が包含される。
【００３９】
該サーバー装置１０は支払い情報Ｓ３を第３者の機構Ｃにより操作される第５端末装置２５に伝送し、該支払い情報Ｓ３は、支払い方式Ｓ３１を包含し、該支払い方式Ｓ３１は、該第１使用者Ａがカウンターでクレジットの方式で支払いＭを第３者の機構Ｃに対して行うことを明らかに記載し、該第３者の機構Ｃは該支払いＭを受けた後、支払い済み情報Ｓ４を該サーバー装置１０に伝送する。
【００４０】
該サーバー装置１０は該支払いＭがなされたことを確認すると、商品兌換券Ｓ５及び第１礼金兌換券Ｓ６１を第２使用者Ｄが所有する第２端末装置２２に伝送する。
【００４１】
該第２使用者Ｄは店舗Ｅに出向き商品Ｐに兌換する時、該店舗Ｅは二種類のメカニズムにより該商品兌換券Ｓ５を検証し、並びに該購入情報Ｓ１を取得する。
【００４２】
そのうちの一種のメカニズムは、該第３端末装置２３を通して該サーバー装置１０に伝送し、並びに該サーバー装置１０が折り返して伝送する商品兌換券検証結果Ｓ７、該購入情報Ｓ１及び第２礼金兌換券Ｓ６２を受け取る。
【００４３】
もう一種のメカニズム（図中では点線枠とされる）は、該店舗Ｅが該商品兌換券Ｓ５を解析して商品兌換券チェックコードＳ５１と該購入情報Ｓ１を発生し、該店舗Ｅは該商品兌換券チェックコードＳ５１を該第３端末装置２３を介して該サーバー装置１０に伝送し、並びに該サーバー装置１０が折り返し伝送する該商品兌換券検証結果Ｓ７及び該第２礼金兌換券Ｓ６２を受け取る。該店舗Ｅは該商品兌換券検証結果Ｓ７により該商品兌換券Ｓ５が有効であることを確認し且つ該購入情報Ｓ１より該商品兌換券Ｓ５が兌換可能な商品Ｐを知った後、該商品Ｐ及び該第２礼金兌換券Ｓ６２を該第２使用者Ｄに交付し、並びに兌換済み情報Ｓ８を該サーバー装置１０に伝送する。
【００４４】
また、該第２使用者Ｄは、第４端末装置２４を介して該サーバー装置１０に接続し、並びに該第１礼金兌換券Ｓ６１及び該第２礼金兌換券Ｓ６２を該サーバー装置１０に伝送し且つ該サーバー装置１０が折り返し伝送する第１礼金兌換券検証結果Ｓ９１１、第１礼金情報Ｓ９２１、第２礼金兌換券検証結果Ｓ９１２及び第２礼金情報Ｓ９２２を受け取る。
【００４５】
該第１礼金情報Ｓ９２１は第１礼金金額及び第１礼金使用期限を包含し、該第２礼金情報Ｓ９２２は第２礼金金額と第２礼金使用期限を包含し、該第２使用者Ｄに、該第２使用者Ｄが獲得して該商品サービスプラットフォーム１００で使用できる仮想礼金を提示する。
【００４６】
本実施例中、該第２使用者情報Ｓ２は、携帯電話番号或いは電子メールアドレスを包含し得る。該サーバー装置１０は、該商品兌換券Ｓ５を包含する電子メール或いは携帯電話ショートメッセージを伝送可能である。該商品兌換券Ｓ５は少なくとも一つのバーコード、少なくとも一つの二次元バーコード或いは少なくとも一つのシリアルナンバーを包含し、該第２使用者Ｄは、該商品兌換券Ｓ５をプリントアウトするか、或いは直接該商品兌換券Ｓ５を該第２端末装置２２に表示し、該店舗Ｅが入力装置（図示せず）により該商品兌換券Ｓ５を入力し、たとえば、該商品兌換券Ｓ５がバーコードであれば、該入力装置はバーコードリーダーとされ、該商品兌換券Ｓ５がシリアルナンバーである時、該入力装置はキーボードとされ、或いは直接該第３端末装置２３で該第２端末装置２２が伝送した商品兌換券Ｓ５を受け取る。
【００４７】
該第１礼金兌換券Ｓ６１と該第２礼金兌換券Ｓ６２もまた、それぞれ少なくとも一つのバーコード、少なくとも一つの二次元コード或いは少なくとも一つのシリアルナンバーを包含し、該店舗Ｅは該第２礼金兌換券Ｓ６２をプリントアウトし並びに該第２使用者Ｄに交付するか、或いは直接該第３端末装置２３で該第２礼金兌換券Ｓ６２を該第２端末装置２２に伝送する。
【００４８】
該第２使用者Ｄは入力装置（図示せず）で該第１礼金兌換券Ｓ６１及び該第２礼金兌換券Ｓ６２を該第４端末装置２４に入力し、或いは直接該第４端末装置２４で該第２端末装置２２の伝送した該第１礼金兌換券Ｓ６１及び該第２礼金兌換券Ｓ６２を受け取る。
【００４９】
また、該支払い方式Ｓ３１の内容は、カウンター支払い、ＡＴＭ支払い、カウンターカード支払い、オンラインカード支払い、カウンター分割払い、或いはオンライン分割払い等の方式を包含し得る。
【００５０】
本実施例中、これら構成要件の設置により、第１使用者はサービスプロバイダが提供するサーバー装置に接続させられ、該サーバー装置上の商品サービスプラットフォームで少なくとも一つの商品を購入し並びに第２使用者へのギフトに指定する。第３者の機構は該サービスプロバイダが該商品に対応する支払いを受け取るのを助ける。該第２使用者は該サーバー装置の伝送する商品兌換券により店舗に商品兌換券に対応し兌換される実体の該商品を伝送し、並びに該サーバー装置が提供する第１礼金兌換券或いは第２礼金兌換券を仮想礼金となし、該サービスプロバイダはこれにより該第２使用者に対し、該商品サービスプラットフォームでの商品購入と兌換サービスの利用を推進する。
【００５１】
図２Ａを参照されたい。それは本考案の第１実施例の商品購入と支払いのフローチャートである。図示されるように、本考案の商品購入と支払いのフローは以下を包含する。
ステップＳＴ１１：第１端末装置で接続する。
ステップＳＴ１２：少なくとも一つの商品を購入し並びに第２使用者情報を提供する。
ステップＳＴ１３：期限内に支払いを終える。
ステップＳＴ２１：ソーシャルネットワークサイトを提供し、商品サービスプラットフォームのサーバー装置に連結する。
ステップＳＴ３１：該商品サービスプラットフォームの該サーバー装置を提供する。
ステップＳＴ３２：購入情報と第２使用者情報を受け取る。
ステップＳＴ３３：支払い情報を第５端末装置に伝送する。
ステップＳＴ３４：商品兌換券と第１礼金兌換券を第２使用者の第２端末装置に伝送する。
ステップＳＴ３５：商品サービスを終了する。
ステップＳＴ４１：該第５端末装置を通して支払い情報を取得する。
ステップＳＴ４２：該支払い情報に符合する支払いを取得し、支払い済み情報を該サーバー装置に伝送する。
【００５２】
そのうち、ステップＳＴ１１〜１３は、第１使用者Ａにより実行される。ステップＳＴ２１はソーシャルネットワーク業者Ｆにより実行される。ステップＳＴ３１〜３５は該商品サービスプラットフォームを提供するサービスプロバイダＢにより実行される。ステップＳＴ４１〜４２は第３者の機構Ｃにより実行される。
【００５３】
ステップＳＴ１１中、該第１使用者Ａは第１端末装置で該ソーシャルネットワークサイトＴ１に接続するか、或いは該商品サービスプラットフォームＴ２に接続するかを選択できる。Ｔ１を選択すれば、ステップＳＴ２１に進入し、該ソーシャルネットワーク業者Ｆは、ソーシャルネットワークサイトを該第１使用者Ａのブラウズと登録に供し、且つ該第１使用者Ａは該ソーシャルネットワークサイトを介して該商品サービスプラットフォームのサーバー装置に連結でき、ステップＳＴ３１に進入する。Ｔ２を選択すれば、直接ステップＳＴ３１に進入し、該第１端末装置に該サーバー装置との接続を完成させる。
【００５４】
ステップＳＴ３１の後、ステップＳＴ１２に進入し、該第１使用者Ａは該商品サービスプラットフォームで少なくとも一つの商品を購入し並びに第２使用者情報を提供する。この時、第１使用者アカウントナンバーを選択して該商品サービスプラットフォームに登録するか、或いは該ソーシャルネットワークサイトのＩＤで登録するかを選択でき、購入確認後にステップＳＴ３２に進入し、該サーバー装置は購入情報と第２使用者情報を受け取り、並びにステップＳＴ３３とステップＳＴ４１を自動実行し、該サーバー装置は支払い情報を該第３者の機構Ｃの第５端末装置に伝送する。
【００５５】
ステップＳＴ３３とステップＳＴ４１の後、ステップＳＴ１３に進入し、該第１使用者Ａがもし該サービスプロバイダＢが指定する期限内に支払いを第３者の機構Ｃに対して行えば、ステップＳＴ４２に進入し、該第３者の機構Ｃは該支払いを受けて並びに支払い済み情報を該サーバー装置に伝送し、該サーバー装置にステップＳＴ３４を実行させ、商品兌換券と第１礼金兌換券を第２使用者の第２端末装置に伝送し、続いて、該第２使用者は該商品兌換券を該商品に兌換できる（後述する）。
【００５６】
もし、第１使用者Ａが該サービスプロバイダＢの指定する期限内に該第３者の機構Ｃに対して支払いを終えなければ、ステップＳＴ３５に進入し、該サービスプロバイダＢはこの商品サービスを終了する。
【００５７】
図２Ｂを参照されたい。それは本考案の第１実施例の商品兌換フローチャートである。図示されるように、本考案を利用した商品兌換フローは以下を包含する。
【００５８】
ステップＳＴ３４：商品兌換券と第１礼金兌換券を第２使用者の第２端末装置に伝送する。
ステップＳＴ３５１：該商品兌換券の検証通過。
ステップＳＴ３５２：該商品兌換券チェックコードが検証通過。
ステップＳＴ３６１：商品兌換券検証結果、該購入情報及び第２礼金兌換券を該第３端末装置に伝送する。
ステップＳＴ３６２：商品兌換券検証結果及び該第２礼金兌換券を該第３端末装置に伝送する。
ステップＳＴ５１：該第２端末装置により該商品兌換券と第１礼金兌換券を受け取る。
ステップＳＴ５２：該商品兌換券を店舗に提供する。
ステップＳＴ５３：該商品及び該第２礼金兌換券を取得する。
ステップＳＴ６１：該商品兌換券を取得する。
ステップＳＴ６２１：第３端末装置で該商品兌換券を該サーバー装置に伝送する。
ステップＳＴ６２２：該商品兌換券を解析して商品兌換券チェックコードと該購入情報を発生し、該第３端末装置で該商品兌換券チェックコードを該サーバー装置に伝送する。
ステップＳＴ６３：該商品と該第２礼金兌換券を該第２使用者に提供し、並びに兌換済み情報を該サーバー装置に伝送する。
ステップＳＴ６４：商品兌換を終了する。
【００５９】
そのうち、ステップＳＴ３４〜３６２は該サービスプロバイダＢにより実行される。ステップＳＴ５１〜５３は第２使用者Ｄにより実行される。ステップＳＴ６１〜６４は店舗Ｅにより実行される。
【００６０】
ステップＳＴ３４中、該サービスプロバイダＢはサーバー装置により商品兌換券と第１礼金兌換券を該第２使用者Ｄの第２端末装置に伝送し、すなわちステップＳＴ５１に連結し、該第２使用者Ｄに該商品兌換券と該第１礼金兌換券を取得させる。
【００６１】
該第２使用者ＤはステップＳＴ５２を実行し、該商品兌換券を該店舗Ｅに提供し、すなわちステップＳＴ６１に進入し、該店舗Ｅに該商品兌換券を取得させる。
【００６２】
該店舗Ｅは直接該商品兌換券を該サーバー装置に伝送するＴ３か、或いはまず該商品兌換券を解析するＴ４かを選択できる。Ｔ３を選択したならば、ステップＳＴ６２１に進入し、該店舗Ｅは該第３端末装置を介して該商品兌換券を該サーバー装置に伝送し、該サーバー装置にステップＳＴ３５１を実行させ、このとき、もし該商品兌換券が検証を通過すれば、ステップＳＴ３６１に進入し、該サーバー装置は商品兌換券検証結果、該購入情報及び第２礼金兌換券を該第３端末装置に伝送し、該店舗ＥにステップＳＴ６３を実行させ、該商品及び該第２礼金兌換券を該第２使用者Ｄに交付し、並びに兌換済み情報を該サーバー装置に伝送する。もし、該商品兌換券が検証を通過しなければ、ステップＳＴ６４に進入し、商品兌換を中止する。
【００６３】
また、Ｔ４を選択すると、ステップＳＴ６２２に進入し、該店舗Ｅは該商品兌換券を解析して商品兌換券チェックコードと該購入情報を発生し、並びに該第３端末装置を介して該商品兌換券チェックコードを該サーバー装置に伝送し、該サーバー装置にステップＳＴ３５２を実行させる。このとき、もし該商品兌換券チェックコードが検証を通過すれば、ステップＳＴ３６２に進入し、該サーバー装置は商品兌換券検証結果及び該第２礼金兌換券を該第３端末装置に伝送し、該店舗ＥにステップＳＴ６３を実行させ、該商品及び該第２礼金兌換券を該第２使用者Ｄに交付し、並びに兌換済み情報を該サーバー装置に伝送し、もし商品兌換券チェックコードが検証を通過しなければ、ステップＳＴ６４に進入し、商品兌換を中止する。
【００６４】
図２Ｃを参照されたい。それは本考案の第１実施例の礼金兌換フローチャートである。図示されるように、本考案の礼金兌換フローは、以下を包含する。
ステップＳＴ２２：ソーシャルネットワークサイトを提供し、商品サービスプラットフォームのサーバー装置に接続する。
ステップＳＴ３７：該商品サービスプラットフォームの該サーバー装置を提供する。
ステップＳＴ３８：該礼金兌換券が検証を通過する。
ステップＳＴ３９：礼金兌換を終了する。
ステップＳＴ５４：接続。
ステップＳＴ５５：礼金兌換券を該サーバー装置に伝送する。
ステップＳＴ５６：礼金兌換券検証結果及び礼金情報を受け取る。
【００６５】
そのうち、ステップＳＴ２２は該ソーシャルネットワーク業者Ｆにより実行され、ステップＳＴ３７〜３９は該サービスプロバイダＢにより実行される。ステップＳＴ５４から５６は該第２使用者Ｄにより実行される。
【００６６】
ステップＳＴ５４において、該第２使用者Ｄは該第２端末装置或いは第４端末装置で該ソーシャルネットワークサイトＴ５に接続するか該商品サービスプラットフォームＴ６に接続する。
【００６７】
Ｔ５を選択するとすなわちステップＳＴ２２に進入し、該ソーシャルネットワーク業者Ｆがソーシャルネットワークサイトを提供して該第２使用者Ｄの閲覧並びに登録に供し、且つ該第２使用者Ｄは該ソーシャルネットワークサイトを介して該商品サービスプラットフォームのサーバー装置に接続してステップＳＴ３７に進入する。Ｔ６を選択すると、ステップＳＴ３７に進入し、該第２端末装置或いは該第４端末装置に該サーバー装置との接続を完成させる。
【００６８】
ステップＳＴ３７の後、第２使用者アカウントを該商品サービスプラットフォームに登録するか或いはソーシャルネットワークサイトのＩＤ登録を選択して、ＩＤ確認後にステップＳＴ５５に進入し、該第２使用者ＤはステップＳＴ５１において獲得した該第１礼金兌換券或いはステップＳＴ５３中で獲得した該第２礼金兌換券を該サーバー装置に伝送し、該第１礼金兌換券或いは該第２礼金兌換券に対する検証を行う。
【００６９】
該サーバー装置はステップＳＴ３８を実行し、該第１礼金兌換券或いは該第２礼金兌換券に対して検証を行ない、もし該第１礼金兌換券が検証通過すれば、ステップＳＴ５６に進入し、該第２端末装置或いは該第４端末装置は該サーバー装置より第１礼金兌換券検証結果と第１礼金情報或いは第２礼金兌換券検証結果と第２礼金情報を受け取る。
【００７０】
このとき、該第１礼金兌換券検証結果或いは該第２礼金兌換券検証結果が、該第１礼金兌換券或いは該第２礼金兌換券が有効であることを表示し、且つ該第１礼金情報或いは該第２礼金情報が第１礼金金額と第１礼金使用期限或いは第２礼金金額と第２礼金使用期限を包含すれば、該第２使用者Ｄは該商品サービスプラットフォームにおいて使用可能な礼金を獲得し、該サーバー装置は関係する情報を該第２使用者アカウント或いは該ソーシャルネットワークサイトアカウント（図示せず）に保存する。
【００７１】
もし、該第１礼金兌換券或いは該第２礼金兌換券が検証を通過しなければ、ステップＳＴ３９に進入し、礼金の兌換を中止する。このとき、伝送される該第１礼金兌換券検証結果或いは該第２礼金兌換券検証結果は該第１礼金兌換券或いは該第２礼金兌換券が無効であることを表示する。
【００７２】
以上述べたことは、本考案の実施例にすぎず、本考案の実施の範囲を限定するものではなく、本考案の実用新案登録請求の範囲に基づきなし得る同等の変化と修飾は、いずれも本考案の実用新案登録請求範囲のカバーする範囲内に属するものとする。
【符号の説明】
【００７３】
１０  サーバー装置
１００  商品サービスプラットフォーム
２１  第１端末装置
２２  第２端末装置
２３  第３端末装置
２４  第４端末装置
２５  第５端末装置
Ｓ１  購入情報
Ｓ２  第２使用者情報
Ｓ３  支払い情報
Ｓ３１  支払い方式
Ｓ４  支払い済み情報
Ｓ５  商品兌換券
Ｓ５１  商品兌換券チェックコード
Ｓ６１  第１礼金兌換券
Ｓ６２  第２礼金兌換券
Ｓ７  商品兌換券検証結果
Ｓ８  兌換済み情報
Ｓ９１１  第１礼金兌換券検証結果
Ｓ９１２  第２礼金兌換券検証結果
Ｓ９２１  第１礼金情報
Ｓ９２２  第２礼金情報
Ａ  第１使用者
Ｂ  サービスプロバイダ
Ｃ  第３者の機構
Ｄ  第２使用者
Ｅ  店舗
Ｆ  ソーシャルネットワーク業者
Ｍ  支払い
Ｐ  商品
【図１】
0003179590.tif 000003
【図２Ａ】
0003179590.tif 000004
【図２Ｂ】
0003179590.tif 000005
【図２Ｃ】
0003179590.tif 000006